(57)【要約】【課題】一定の保温性が得られ、就寝中に人体から発生する汗の吸放湿が良好で、且つ洗濯可能な、吸湿マットと併用して用いるベッドパッドを提供する。【解決手段】中綿および側地からなるベッドパッドであって、該ベッドパッド又は該中綿に、穴径が１〜１００ｍｍ、穴間のピッチが２〜５００ｍｍの穴が設けられていることを特徴とするベッドパッドよって達成される。尚、該ベッドパッドが、キルティング加工及び／又は穴かがりがされていることが好ましい。【選択図】なし【特許請求の範囲】
【請求項１】
中綿および側地からなるベッドパッドであって、該ベッドパッド又は該中綿に、穴径が１〜１００ｍｍで、穴間のピッチが２〜５００ｍｍである穴が設けられていることを特徴とするベッドパッド。
【請求項２】
ベッドパッドが、キルティング加工及び／又は穴かがりがされている請求項１に記載のベッドパッド。
【請求項３】
ベッドパッドの裏面に、吸湿マットが一体構造として組合されている請求項１又は２に記載のベッドパッド。
【請求項４】
ベッドパッドの裏面に、吸湿マットを保持できる収納袋が備えられている請求項１又は２に記載のベッドパッド。
【請求項５】
吸湿マットと一緒に収納袋に収めてなる請求項１乃至３に記載のベッドパッド。
【請求項６】
吸湿マットの中綿の高吸湿素材が、高吸湿性のポリアクリレート系繊維、レイヨン、マイクロファイバー、高吸水ポリマー不織布の内少なくとも１つから選ばれてなる請求項３乃至５に記載のベッドパッド
【発明の詳細な説明】
【技術分野】
【０００１】
本発明は、一定の保温性が得られ、就寝中に人体から発生する汗の吸放湿が良好で、且つ洗濯可能なベッドパッド、及び吸湿マットと併用して用いるベッドパッドに関する。
【背景技術】
【０００２】
従来、汗等の水分を吸収し、かつ通気性も有するものとして、寝具用マットが提供されているが、側地は、軟質ウレタン発泡体で、厚みを持たせているため、空気孔が細密であり、人体から発散する汗の吸放湿は、必ずしも満足するものではない（特許文献１）。また、衛生シーツも提供されているが、身体と直に接触しているので汗などの吸収性という点では良いが、吸水して湿ったシーツの湿気が身体に反映し、ベッドや布団用のシーツとして使うと居心地の悪いものになってしまう。また保温性という点でも快適性が期待できない（例えば特許文献２を参照）。
【０００３】
また、特許文献１の寝具用マットは、中間層である吸水ポリマーシートを吸水後に都度廃棄しており、マットを洗濯して再使用するとかの発想はない。また、特許文献２および特許文献３のシーツは、廃材の再利用で非常に経済的であるが、いずれも使い捨て用途であり、シーツを洗濯して再使用するとか、吸水部を再生して繰返し使用するとかの発想がない。
【０００４】
【特許文献１】特開平７−８８０２２号公報
【特許文献２】特開２０００−６０９０８号公報
【特許文献３】特許３２２０６７７号
【発明の開示】
【発明が解決しようとする課題】
【０００５】
即ち、本発明の目的とするところは、一定の保温性が得られ、就寝中に人体から発生する汗の吸放湿が良好で、且つ洗濯可能なベッドパッド、及び吸湿マットと併用して用いるベッドパッドを提供することにある。
【課題を解決するための手段】
【０００６】
上記の目的は、中綿および側地からなるベッドパッドであって、該ベッドパッド又は該中綿に、穴径が１〜１００ｍｍ、穴間のピッチが２〜５００ｍｍの穴が設けられていることを特徴とするベッドパッドによって達成される。
【０００７】
該ベッドパッドが、キルティング加工及び／又は穴かがりがされていることが好ましい。
【０００８】
また、該ベッドパッドの裏面に、吸湿マットが一体構造として組合されている事が好ましい。また、該ベッドパッドの裏面に、吸湿マットを保持できる収納袋が備えられていることが好ましい。また、該ベッドパッドの裏面に、吸湿マットを一体構造として組合せ、収納袋に収めてなることが好ましい。
また、該ベッドパッドと吸湿マットとを一緒にして収納袋に収めてなることが好ましい。
【０００９】
更に、該吸湿マットの中綿の高吸湿素材が、高吸湿性のポリアクリレート系繊維、レイヨン、マイクロファイバー、高吸水ポリマー不織布の内少なくとも１つから選ばれてなるものが特に好ましい。
【発明の効果】
【００１０】
本発明のベッドパッドは、就寝中に体温の上昇と共に、人体から発散した汗が蒸気となって、通気し易いベッドパッドの穴を通じて放湿されることによって快適な睡眠が得られる。
また、本発明のベッドパッドの下に吸湿マットを敷くことによって、就寝中に体温の上昇とともに、人体から発生した汗が蒸気となって、通気し易いベッドパッドの穴を通じて吸湿マットに吸収され、また放湿されることによって快適な睡眠が得られる。
【００１１】
本発明のベッドパッドは、繰返し洗濯可能である。また吸湿マットはベッドパッドの下に敷いて使用するため、人体による汚れも少なく、繰返し日干しして再利用でき、経済的である。
【発明を実施するための最良の形態】
【００１２】
本発明のベッドパッドは、中綿と全体を覆う側地からなるベッドパッドに穴径が１〜１００ｍｍで、穴間のピッチが２〜５００ｍｍの穴が設けられたベッドパッドである。
【００１３】
また本発明のベッドパッドの中綿に穴径が１〜１００ｍｍで、穴間のピッチが２〜５００ｍｍの穴が設けられ、側地で覆ったものである。そして、図１に例示されているように中綿２と全体を覆う側地３からなるベッドパッドの中綿に穴径が１〜１００ｍｍで、穴間のピッチが２〜５００ｍｍの穴が設けられ、側地３で覆い、キルティング加工したベッドパッド１などが好ましい態様として挙げられる。
【００１４】
本発明のベッドパッドは、例えば、図２に示されるような吸湿マット６を裏面に敷いて使用することが好ましい。
また本発明のベッドパッドは、該ベッドパッドの裏面に、吸湿マットを一体構造として組合わされて使用することもできる。
該ベッドパッドの裏面に、吸湿マットをそのまま挿入するか、吸湿マットを仮縫製などで簡易に縫い合わせるなどして一体構造としてセットしても良く、また吸湿マットの交換をより容易にするため、マジックテープ又はファスナー等で取り付けることが、特に好ましい。
【００１５】
また、図３に例示したように、本発明のベッドパッド１の裏面に、吸湿マット６を一緒にするか、又は一体構造として、それら全体を収納袋１０に収めてなることが、ベッドパッドと吸湿マットがずれることなく保持できる点で好ましい。尚、ベッドパッドと吸湿マットとの間に、収納袋の布、ネット、不織布などによって薄い境界布を設けても良い。
【００１６】
また、図４に示したように、本発明のベッドパッド１の裏面に、吸湿マット６を保持できる吸湿マット用収納袋１１が備えられていることが、吸湿マット６の交換を容易にする点で好ましい。
【００１７】
本発明に使用される収納袋の素材は、当然通気性のよいものを選定することが好ましく、例えばメッシュ状のもの、不織布、織布などが挙げられ、材質としては、ポリエステル、コットンポリエステル混紡、綿などが挙げられる。
また、収納袋の形状としては、吸湿マットを保持できればどのようなものでも良いが、例えば袋状、帯状などが挙げられる。
【００１８】
本発明のベッドパッドに用いられる中綿は、クッション性を有する繊維素材が好ましく、例えばポリエステル綿、ウール等が挙げられ、更にはポリエステルレギュラー糸と共にポリエステル中空糸、異型断面糸、または融着糸等を混合した綿を使ってもよい。
【００１９】
また、中綿の重量は、必要なクッション性、断熱性を得るために自由に選択でき、実用性を考慮すると０．２〜１．２ｋｇ／ｍ2の範囲で快適な用途に合った重さを選ぶことができる。
【００２０】
本発明に用いられる側地の素材としては、例えば、ポリエステル／コットン混紡布が挙げられる。また、融着糸を混合した綿を使用しても良い。縁縫いやキルティング縫製等の加工性や、使いやすさに問題が無ければ特に素材は限定しない。
【００２１】
本発明に用いられる中綿は、本発明のベッドパッドのクッション性を考慮して、レイヤーと呼ばれる中綿を何層にも適宜重ねた状態で、製造され、例えば、本発明に使用される側地で該中綿を挟み込み、縁縫いを行い、中綿の上下面を覆って、ベッドパッドに仕上げられる。
【００２２】
本発明のベッドパッドは、中綿が移動し、片寄らないように通常行なわれる一般的方法で縫製加工することができ、例えば、キルティング加工等が挙げられる。具体的には、図１に示したように、中綿２の上下面を側地３で覆った後、中綿２の移動を抑えるために、キルティング縫製４を施すこともできる。
【００２３】
本発明のベッドパッドの穴を開ける方法としては、例えば、キルティング加工されたベッドパッドを、キルティング糸を切らないようにして、側地の上面から下面に貫通するように穴を設けることによって製造できる。
この時、穴から中綿が漏れ出すのを防止するため、例えば穴周辺にかがり縫いを行う、又は融着糸が混綿されている場合は、穴周辺部を熱融着する等の加工処理を施すことが好ましい。
【００２４】
また、生産工程の都合上、先に中綿に上面から下面に貫通する穴を開けておき、中綿の上下面を薄手の側地で覆い、キルティング加工を施す。その際、側地には必ずしも穴を開けなくてもよい。薄手の側地の厚さとしては、３．０ｍｍ以下が、汗の吸放湿を効率的にするために好ましい。
【００２５】
穴の配列は、均等な通気性を考慮して均一な位置に開けるのが望ましいが、体表面から発生する水分の量に応じて、場所によってその穴密度を変えることもできる。一方、整然とした配列は、汗の吸放湿の効率性および美観の点で好ましい。
【００２６】
穴の直径としては、クッション性と通気性をバランスさせる範囲であり、１〜１００mmのものを用いる。また、穴間のピッチとしては、縦列、横列いずれも２〜５００ｍｍのものを用いる。
【００２７】
本発明の吸湿マットは、高吸湿材である中綿と、上下面を覆う側地からなり、例えば、図２に示したように、高吸湿材である中綿７と、上下面を覆う側地８からなる。
【００２８】
本発明に用いられる吸湿マット用中綿の高吸湿素材としては、ポリアクリレート系繊維、レーヨン、マイクロファイバー、高吸水ポリマーなどが好ましい。その配合量としては、１〜７０重量％が好ましい。
又吸湿マット用中綿の混綿素材としては、ポリエステル、ポリオレフィンなどが挙げられる。
吸湿マット不織布を製造する方法としては、ニードルパンチ法、水流交絡法などが挙げられる。
【００２９】
本発明に用いられる吸湿マットは、最終的に、吸湿マット用の側地で中綿を挟み込み、
縁縫いを行い、中綿の上下面を覆って製造される。
また、中綿の上下面を側地で覆った後、中綿の移動を抑えるために、例えば、キルティング縫製などを施しても良い。
【００３０】
吸湿マット用側地の素材としては、ポリオレフィン、ポリエステル        などが挙げられ、これらの素材に融着糸などを混綿しても良い。縫製等の加工や、使いやすさに問題が無ければ特に素材は限定されない。
【００３１】
この吸湿マットは、通常身体に直接触れることはなく、ベッドパッドの下に敷かれ、汚れは少ないので、吸湿後に天日干しなどで乾燥させれば、繰り返し６〜１０回程度の使用は充分可能である。
【実施例】
【００３２】
以下、実施例、比較例により本発明を具体的に説明する。
【００３３】
実施例１
（製造例１−ベッドパッド）
図１に示すように、ベッドパッドのレイヤーと呼ぶ所の重層された中綿２には、ポリエステル綿を使用した（約０．５  ｋｇ／ｍ2）。この中綿２を、穴径１０ｍｍ、穴間のピッチ１２５〜２５０ｍｍで、規則性のある穴５を開け、穴かがり（穴の周りの縫製）を行った。その中綿２をＴ／Ｃと呼ばれるポリエステル（６５重量％）、コットン（３５重量％）の混紡布を使用した側地３（布地厚さ  ０．５ｍｍ）で上下挟み込み、縁縫いをし、更にキルティング縫製４加工して、図１に示した様な中綿に穴開き加工を施したベッドパッド１を得た。
【００３４】
（製造例２−吸湿マット）
図２に示すように吸湿マット６の中綿７としては、高吸湿のポリアクリレート系繊維を２０重量％と、ポリエステル繊維を８０重量％混合し、ニードルパンチ法にて、１２０ｇ／ｍ2の柔らかい不織布Ａを製造したものを用いた。一方、側地８として４０ｇ／ｍ2の柔らかく薄いポリプロピレン不織布Ｂを製造したものを用いた。Ａの中綿７をＢの側地８でサンドイッチにし、縁縫いし、その後中綿を抑えるためにキルティング縫製９の様に加工を施して吸湿マット６を得た。この吸水マット６の吸水性能は、約２〜３ｋｇ／ｍ2であった。
【００３５】
比較例１
ベッドパッドの中綿２に穴を開けていない以外は、実施例１と同様にベッドパッドを製造した。
【００３６】
（ベッドマット・吸湿マットの吸湿性能試験）
人工気象室内で、実施例１又は比較例１の各ベッドパッドの下に、製造例２で製造した吸湿マットを敷いた。
この状態で、まず人工気象室の温度および湿度を試験スタート前に、ＲＴ＝室温２０℃、４０％ＲＨの条件に室内環境を調整し、その後ＢＴ＝体温３６℃、９６％ＲＨの条件まで経時的に上げた。この時、吸湿マットの含水率を時間経過ごとに測定した。その結果を表１に示す。
【００３７】
その結果、実施例１の穴開きベッドパッド１・吸湿マット６は、吸湿スピードが速く、快適な睡眠が得られることが十分期待される。
一方、比較例１のベッドパッド・吸湿マット６についても、実施例１と同様に、吸湿マットの含水率を時間経過ごとに測定した。
その結果、表１に示す通り、比較例１のベッドパッド・吸湿マット６は、実施例1に比べて吸湿スピードが遅く、８ｈｒ経過後には、実施例１の６０％しか吸湿していないことがわかり、快適な環境が得られないことが分る。
【００３８】
【表１】
2005131158.tif 000002
【００３９】
（ベッドパッド・吸湿マットの実用試験）
実施例１又は比較例１のベッドパッドを実際に寝具として使用し、実用試験を行った。和式敷き布団の上にこのベッドパッドと吸湿マットを敷き、布団内（掛け布団とベッドパッドの間）の温度及び湿度をモニターし、パネラー３名によりその寝心地を試験した。
【００４０】
【表２】
2005131158.tif 000003
その結果を表２に示した。比較例１に比較して実施例１の方が、いずれのパネラーも、さわやかで快適な寝心地であったとの回答であった。
【図面の簡単な説明】
【００４１】
【図１】本発明におけるベッドパッドの斜視図（横断面図を含む）である。
【図２】本発明における吸湿マットの斜視図（横断面図を含む）である。
【図３】本発明におけるベッドパッドと吸湿マットとを重ね収納袋に収納した使用形態の斜視図（横断面図を含む）である。
【図４】本発明におけるベッドパッドの下部に収納袋を設け、その収納袋に吸湿マットを収めた使用形態の斜視図（横断面図を含む）である。
【符号の説明】
【００４２】
１  ベッドパッド
２  ベッドパッド用中綿
３  ベッドパッド用側地
４  ベッドパッド用キルティング縫製
５  ベッドパッド用穴
６  吸湿マット
７  吸湿マット用中綿
８  吸湿マット用側地
９  吸湿マット用キルティング縫製
１０、１１  収納袋
【図１】
2005131158.tif 000004
【図２】
2005131158.tif 000005
【図３】
2005131158.tif 000006
【図４】
2005131158.tif 000007